(57)【要約】【課題】ＳＤＩを利用した先行する映像装置においては、ＳＤＩ受信回路の１回路当りの映像表示は固定エリアであるため、極端な横長又は縦長のスクリーンを制御する場合には、映像表示面積以上にコントローラ及びＳＤＩ受信回路が必要となる。【解決手段】コントローラ２００とスクリーン３００間のＳＤＩ伝送において、映像データ以外のデータ（例えば、制御データ，映像取込大きさ情報，出力ユニット情報，及びユニットサイズ等より成るヘッダー情報）をも伝送し、ＳＤＩで伝送可能な情報量内において、ＳＤＩ受信回路１回路当りのスクリーン構成を可変に変更する。【選択図】        図３
2004333802.tif 000002
【特許請求の範囲】
【請求項１】
ＳＤＩデータを送信するＳＤＩ送信回路を有する複数のコントローラと、
前記複数のコントローラの各々におけるＳＤＩ送信回路に対応して設けられており、対応するＳＤＩ送信回路から送信されて来る前記ＳＤＩデータを受信する、複数のＳＤＩ受信回路と、
その各々は前記複数のＳＤＩ受信回路の内で対応するＳＤＩ受信回路から送信される映像信号を受信する、スクリーンを構成する複数の表示ユニットとを備えており、
前記ＳＤＩデータとして、映像データと前記映像データ以外の情報を含むヘッダー情報とを伝送することを特徴とする、
映像装置。
【請求項２】
請求項１記載の映像装置であって、
前記ヘッダー情報は、映像取込大きさ情報、出力表示ユニット情報、及び表示ユニットサイズ情報を含むことを特徴とする、
映像装置。
【請求項３】
請求項２記載の映像装置であって、
前記出力表示ユニット情報は、前記スクリーンのＸ軸方向における表示ユニット数がＹ軸方向における表示ユニット数よりも多くなる様に設定されていることを特徴とする、
映像装置。
【請求項４】
請求項２記載の映像装置であって、
前記出力表示ユニット情報は、前記スクリーンのＹ軸方向における表示ユニット数が前記スクリーンのＸ軸方向における表示ユニット数より多くなる様に設定されていることを特徴とする、
映像装置。
【請求項５】
請求項１又は２に記載の映像装置であって、
前記ヘッダー情報は、輝度のスクリーン制御コマンドを含むことを特徴とする、
映像装置。
【請求項６】
請求項１、２又は５の何れかに記載の映像装置であって、
前記ヘッダー情報は、クリアのスクリーン制御コマンドを含むことを特徴とする映像装置。
【請求項７】
請求項１、２、５又は６の何れかに記載の映像装置であって、
前記ヘッダー情報は、フリーズのスクリーン制御コマンドを含むことを特徴とする、
映像装置。
【発明の詳細な説明】
【０００１】
【発明の属する技術分野】
この発明は、コントローラとスクリーンとの間をＳＤＩ（Ｓｅｒｉａｌ  Ｄｉｇｉｔａｌ  Ｉｎｔｅｒｆａｃｅ）送信回路とＳＤＩ受信回路とにより映像信号が送受信される映像装置に関する。即ち、本発明は、コントローラとスクリーン間の映像データ伝送をＳＤＩを使用する技術に関している。
【０００２】
【従来の技術】
従来の映像装置においては、画像情報が画像情報符号化部によって符号化（デジタル化）され、デジタル化された信号が光信号発光部から光パルス信号として出力される。
【０００３】
表示ユニット内の光信号受光部は、受信した光信号を電気信号に変換して制御部に出力する。制御部は、入力された信号を復号し、復号された信号に応じて表示部を制御して表示を行う。そして、複数の表示ユニットをマトリックス配置して復合表示装置を形成する（例えば特許文献１参照）。
【０００４】
【特許文献１】
特開２０００−２００１１号公報（要約，図１）
【特許文献２】
特開２０００−３２２０３９号公報
【特許文献３】
特開２００１−２８２１８７号公報
【０００５】
【発明が解決しようとする課題】
従来の映像装置は、単に表示ユニットをマトリックスに配置して復合表示装置を形成していたにすぎない。これだけの技術的構成では、縦横比をフレキシブルに構成して表示するということが出来ない。
【０００６】
この発明は上記の課題に鑑みて成されたものであり、ＳＤＩを使用してコントローラとスクリーン間の映像データ伝送を行う映像装置において、スクリーン内又はその近傍に設けたＳＤＩ受信回路が担当するスクリーンエリアを可変化可能とすることを、その主目的としている。
【０００７】
【課題を解決するための手段】
この発明に係る映像装置は、ＳＤＩデータを送信するＳＤＩ送信回路を有する複数のコントローラと、前記複数のコントローラの各々におけるＳＤＩ送信回路に対応して設けられており、対応するＳＤＩ送信回路から送信されて来る前記ＳＤＩデータを受信する、複数のＳＤＩ受信回路と、その各々は前記複数のＳＤＩ受信回路の内で対応するＳＤＩ受信回路から送信される映像信号を受信する、スクリーンを構成する複数の表示ユニットとを備えており、前記ＳＤＩデータとして、映像データと前記映像データ以外の情報を含むヘッダー情報とを伝送することを特徴とする。
【０００８】
【発明の実施の形態】
本発明は、ＳＤＩを使用してコントローラとスクリーン間の映像データ伝送を行う技術において、スクリーン内又はその近傍に設けたＳＤＩ受信回路が表示ユニットの表示をコントロールし得る機能を発揮する様にすること、及び、ＳＤＩ受信回路へ送信される信号に各種制御情報を含む様にした点に、その特徴を備える。以下、添付の図面を参照しつつ、本発明の具体化例である実施の形態１とその各種応用例とを、詳細に記載する。
【０００９】
（実施の形態１）
＜ＳＤＩ使用大型映像装置の全体構成及びその動作概要＞
図１は、本実施の形態に係る大型映像装置の構成を模式的に示すブロック図であり、本映像装置は、コントローラとスクリーン間を、後述するヘッダー情報と共に、映像データを、ＳＤＩデータとして、多重伝送する。
【００１０】
図１において、ＰＣ（Ｐｅｒｓｏｎａｌ  Ｃｏｍｐｕｔｅｒ）１００の出力端は、ＤＶＩ（Ｄｉｇｉｔａｌ  Ｖｉｓｕａｌ  Ｉｎｔｅｒｆａｃｅ）ケーブルＬ１を介して、ＤＶＩ分配器１０１の入力端に接続されている。そして、ＤＶＩ分配器１０１の各出力端は、ＤＶＩケーブルＬ１を介して、対応するコントローラ２００に接続されており、各コントローラ２００は、ＳＤＩデータを送信するＳＤＩ送信回路２０８を有している。尚、各コントローラ２００の内部構成は後述される。そして、各ＳＤＩ送信回路２０８の出力端は、同軸ケーブルＬ２を介して、対応するＳＤＩ受信回路２０９の入力端に接続されている。ここでは、各ＳＤＩ受信回路２０９は、スクリーン３００外部の近辺に設けられているが、この配置に代えて、スクリーン３００内に設けても良い。
【００１１】
これに対して、スクリーン３００は、そのＸ軸方向及びＹ軸方向に配列された複数の表示ユニット３０１より構成されている。即ち、スクリーン３００のＸ軸方向（横方向）には、ｍＸ個の表示ユニット３０１が配置されており、そのＹ軸方向（縦方向）には、ｍＹ個の表示ユニット３０１が配置されており、各ＳＤＩ受信回路２０９の出力端は、フラットケーブルＬ３を介して、ｋ（ｋはｍＸ以下の任意数である。）個の系統に属する各表示ユニット３０１に接続されており、各ＳＤＩ受信回路２０９は、自己が受け持つエリア内の各表示ユニット３０１に映像信号を送信する。尚、各ＳＤＩ受信回路２０９が受け持つ実際のエリアは、図１に便宜上図示されたものではなく、後述する図４に例示されるものに相当する。
【００１２】
次に、本映像装置の動作を、各コントローラ２００の内部構成を示す図２を参照しつつ、記載する。
【００１３】
図１において、ＰＣ１００から出力される映像データは、ＤＶＩ分配器１０１で分配された上で、ＤＶＩケーブルＬ１を介して、ＤＶＩ分配器１０１に接続された全てのコントローラ２００に配信される。
【００１４】
図２において、ＤＶＩケーブルＬ１を介してＤＶＩ入力部２０１に入力されたＤＶＩ信号より、ＤＶＩ入力部２０１は、垂直同期信号，水平同期信号，クロック，及び映像データを抽出して、垂直同期信号，水平同期信号，クロックを画像制御部２０５へ送信する一方、抽出後のクロック及び映像データを映像メモリ２０６へ送信する。
【００１５】
他方、コマンド解析部２０４は、スイッチ制御部２０３又は通信制御部２０２からのコマンドを解析し、この解析により得られた指示を画像制御部２０５へ出力する。
【００１６】
中核部たる画像制御部２０５は、コマンド解析部２０４からの指示に従い、以下の各処理を実行する。即ち、画像制御部２０５は、▲１▼上記指示により指定された映像エリアに関する映像データのみを取り込む様に指令する映像データ書込み制御信号を生成して、同制御信号を書込み対象の映像メモリ２０６へ出力する。と同時に、画像制御部２０５は、▲２▼ＳＤＩクロック発振器２０７からのＳＤＩクロックを基にＳＤＩのタイミング生成を行うと共に、当該ＳＤＩタイミングに合わせて映像メモリ２０６からの映像データの読み出しを行う様に指令制御する映像データ読出し制御信号を生成して同制御信号を読出し対象の映像メモリ２０６へ出力し、且つ、▲３▼上記指示及び上記ＳＤＩクロックに基づき、ＳＤＩ送信回路２０８へ送信する制御データ（後述するヘッダー情報を与える信号を含む）を生成し、同制御データをＳＤＩ送信回路２０８へ送信する。
【００１７】
映像メモリ２０６は、ＤＶＩの垂直同期信号のタイミングで以ってその読み出しと書込みとが切り換わる様に、２ブロックで構成されている。従って、映像メモリ２０６は、コントローラ２００の映像表示担当エリア２面分の容量を持つ。
【００１８】
ＳＤＩ送信回路２０８は、ＳＤＩクロック発振器２０７からのＳＤＩクロックと、画像制御部２０５からの制御データと、映像メモリ２０６からの映像データとに基づいて、内部のＳＤＩドライバＩＣ（図示せず）を制御して、ＳＤＩ受信回路２０９へ、後述するＳＤＩデータを送出する。
【００１９】
ここで、一例として、ＳＤＩの基本クロックを２７ＭＨｚに設定した場合の、ＳＤＩのＶＳＹＮＣ（ＳＤＩ垂直同期信号）とＨＳＹＮＣ（ＳＤＩ水平同期信号）とについて、以下に詳述する。
【００２０】
ＳＤＩのＨＳＹＮＣの１周期はＳＤＩ基本クロックの１７１６クロック分に相当し、ＳＤＩのＶＳＹＮＣの１周期はＳＤＩのＨＳＹＮＣの２６２．５倍に相当する。ＳＤＩ送信回路２０８は、その内部回路部において、２７ＭＨｚのクロックを基にＳＤＩの同期信号を生成しており、２７ＭＨｚのクロックからＳＤＩのＨＳＹＮＣを、ＳＤＩのＨＳＹＮＣからＳＤＩのＶＳＹＮＣを生成する。
【００２１】
そして、図１の各ＳＤＩ受信回路２０９がその内部に有するＳＤＩレシーバＩＣ（図示せず）は、対応するＳＤＩ送信回路２０８より送信されて来るＳＤＩデータより、ＳＤＩクロックと、共にＳＤＩクロックに同期したＳＤＩのＶＳＹＮＣ及びＳＤＩのＨＳＹＮＣ（図３参照）と、映像データと、後述するヘッダー情報としての各種データとを、再生する。
【００２２】
更に、各ＳＤＩ受信回路２０９は、スクリーン３００を構成する表示ユニット３０１の内で、本実施の形態では４系統の縦列に配列する各表示ユニット３０１に対して、再生した映像データを４つに分けてパラレルに出力する。
【００２３】
その結果、スクリーン３００を構成する各表示ユニット３０１は、対応するＳＤＩ受信回路２０９より送られて来る映像データの内で、自ユニット該当の映像データのみを取り込んで、取り込んだ映像データを表示する。
【００２４】
＜ＳＤＩ伝送フォーマット＞
図３は、図１のＳＤＩ送信回路２０８からＳＤＩ受信回路２０９へ多重伝送されて来るＳＤＩデータをＳＤＩ受信回路２０９側で再生したデータ（ＳＤＩ受信回路再生データ）を示す図である。又、図４は、図３に示すヘッダー情報（特に、映像取込大きさ情報，出力ユニット情報及びユニットサイズ情報）と、１つのＳＤＩ受信回路２０９と、表示ユニット３０１との関係を示すブロック図である。以下、図３及び図４に基づいて、本実施の形態の特徴部である、ＳＤＩ送信回路２０８からＳＤＩ受信回路２０９へのＳＤＩ伝送の動作について、記載する。
【００２５】
図３に示す通り、ＳＤＩ送信回路２０８は、ＳＤＩのＶＳＹＮＣがインアクティブになった期間における最初のＳＤＩのＨＳＹＮＣのインアクティブ期間中に、映像データ以外の情報であるヘッダー情報を送信し、その結果、ＳＤＩ受信回路２０９は、対応箇所のデータを、ヘッダー情報として受信する。そして、ＳＤＩ送信回路２０８は、それ以降におけるＳＤＩのＨＳＹＮＣの各インアクティブ期間中に、映像データを送信し、ＳＤＩ受信回路２０９は、ヘッダー情報の受信後に順次に送信されて来る映像データを順次に受信する。
【００２６】
ここで、ヘッダー情報には、▲１▼制御情報，▲２▼映像取込大きさ情報，▲３▼出力ユニット情報，及び▲４▼ユニットサイズ情報が含まれている。
【００２７】
これらの情報の内で、表示ユニットサイズ情報ｄｘ２，ｄｙ２は、それぞれ、表示ユニット１個当たりのＸ軸方向、Ｙ軸方向の画素数である。そして、ＳＤＩ受信回路２０９は、その情報（画素数）ｄｘ２，ｄｙ２を再現・検出することで、当該情報に見合う映像信号を表示ユニット３０１に送信することが出来る。
【００２８】
又、本実施の形態では、一つのＳＤＩ受信回路２０９は、４系統の映像データを送信することにしているが、ヘッダー情報内の出力表示ユニット情報ｎに予め４が設定されているので、再現・検出された当該情報ｎのレベルに応じて、ＳＤＩ受信回路２０９は、受信した映像データを、４系統に分割することが出来る。
【００２９】
又、ヘッダー情報内の出力表示ユニット情報の内で、ｕｘは当該ＳＤＩ受信回路２０９が受け持つエリア内の１つの系統に属するＸ軸方向の表示ユニット数であり、ｕｙは当該ＳＤＩ受信回路２０９が受け持つエリア内の１つの系統に属するＹ軸方向のユニット数である。従って、出力表示ユニット情報（ｕｘ，ｕｙ）とは、当該ＳＤＩ受信回路２０９から出力される１系統分の映像データを受信可能な（尚、各ユニット３０２が受信データを取入れるか否かとは別問題である）表示ユニット３０１の総数である。
【００３０】
更に、取込大きさ情報ｄｘ１，ｄｙ１とは、一つのＳＤＩ受信回路２０９が受け持つ映像エリアを示すデータであり、その内、データｄｘ１は当該映像エリア内のＸ軸方向における画素数を示しており、データｄｙ１は当該映像エリア内のＹ軸方向の画素数である。
【００３１】
以上より、一つのＳＤＩ受信回路２０９が受け持つ映像エリア内の総画素数ｄｘ１×ｄｙ１は、出力ユニット情報とユニットサイズ情報との各項を掛け合わせて成る式、即ち、ｕｘ×ｕｙ×ｎ×ｄｘ２×ｄｙ２で与えられる。
【００３２】
そこで、ＳＤＩ受信回路２０９は、対応するコントローラ２００内で生成された、これらの情報（データ）を含むヘッダー情報に基づいて、自己が担当すべき映像エリア内の映像データを受信することが出来る。即ち、一つのＳＤＩ受信回路２０９は、ＳＤＩの１次元データとしてヘッダー情報と映像データとを受信し、そのヘッダー情報の内で、取込大きさ情報，出力ユニット情報，ユニットサイズ情報により、当該一つのＳＤＩ受信回路２０９が受け持つ表示エリアへ送信すべき映像データの送信処理を行う。
【００３３】
この処理は全部のＳＤＩ受信回路２０９に適用されているので、最終的にはスクリーン全体の映像を表示することが出来る。
【００３４】
この様に、映像データ以外の情報（取込大きさ情報，出力ユニット情報，ユニットサイズ情報）をコントローラ２００内の画像制御部２０５において適宜に設定した上で、ＳＤＩ送信回路２０８とＳＤＩ受信回路２０９間のＳＤＩ伝送において映像データと映像データ以外の上記情報とを伝送することにより、ＳＤＩで伝送可能な情報量内において、ＳＤＩ受信回路２０９に接続される表示ユニット３０１の数及びそのサイズを可変にすることが可能となる。この可変可能化により、未公開の先行構成（ＳＤＩ受信回路の１回路当りの映像表示は固定エリア）とは異なり、次の応用例において見られる様に、様々な形状のスクリーン表示を実現することが出来る。
【００３５】
又、図３において、ヘッダー情報の内の「制御情報」は、「輝度制御」，「スクリーンクリア」，「スクリーンフリーズ」のコマンドを規定するビット情報（データ）である。そこで、これらの制御情報の設定・送信・再現を通じて、輝度制御，スクリーンクリア又はフリーズ制御あるいはこれらの制御の組合せ制御を、ＳＤＩ受信回路２０９又はスクリーン３００側で行うことも可能となり、映像データとは別にスクリーンのクリア及びフリーズの制御が可能となる。以下、各制御情報の設定・送信・再現について、個別に、応用例３〜５として記載する。
【００３６】
＜実施の形態１の応用例１＞
本応用例の特徴点は、スクリーン３００のＸ軸方向における表示ユニット数がＹ軸方向における表示ユニット数よりも多くなる様に、図３の出力表示ユニット情報が設定されている点にある。これにより、スクリーン３００上に、横長スクリーン表示を実現することが出来る。以下、図面を参照しつつ、この点の一例について詳述する。
【００３７】
図５は、横長スクリーン対応の、映像装置のＳＤＩ受信回路１回路当りの表示ユニット系統を示すブロック図である。ここでは、取込大きさ情報は、ｄｘ１＝１０２４，ｄｙ１＝２５６に設定されている。又、出力ユニット情報は、ｕｘ＝１６，ｕｙ＝１，ｎ＝４に設定されている。更に、ユニットサイズ情報は、ｄｘ２＝６４，ｄｙ２＝６４に設定されている。そして、これらの値を有するヘッダー情報が、１次元ＳＤＩデータの一部として、ＳＤＩ送信回路２０８からＳＤＩ受信回路２０９へ送信される。
【００３８】
この様に、図２の各画像制御部２０５が、主に出力ユニット情報を、即ち、Ｘ軸方向の設定値ｕｘをＹ軸方向の設定値ｕｙよりも大きく設定することにより、各ＳＤＩ受信回路２０９は横長スクリーンをスクリーン３００上に表示することが出来、その結果、図６に示す様に、全画面を横長表示にすることが出来る。
【００３９】
＜実施の形態１の応用例２＞
本応用例の特徴点は、スクリーン３００のＹ軸方向における表示ユニット数がＸ軸方向における表示ユニット数よりも多くなる様に、図３の出力表示ユニット情報が設定されている点にある。これにより、スクリーン３００上に、縦長スクリーン表示を実現することが出来る。以下、図面を参照しつつ、この特徴点の一例について詳述する。
【００４０】
図７は、縦長スクリーンに対応する、映像装置のＳＤＩ受信回路１回路当りの表示ユニット系統を示すブロック図である。ここでは、取込大きさ情報は、ｄｘ１＝２５６，ｄｙ１＝１０２４に設定されている。又、出力ユニット情報は、ｕｘ＝１，ｕｙ＝１６，ｎ＝４に設定されている。更に、ユニットサイズ情報ｄｘ２＝６４，ｄｙ２＝６４に設定されている。
【００４１】
この様に、図２の各画像制御部２０５が、主に出力ユニット情報を、即ち、Ｙ軸方向の設定値ｕｙをＸ軸方向の設定値ｕｘよりも大きく設定することにより、対応するＳＤＩ受信回路２０９は縦長スクリーンをスクリーン３００上に表示することが出来、その結果、図８に示す様に、全画面を縦長表示することが出来る。
【００４２】
＜実施の形態１の応用例３＞
ここでは、図２の画像制御部２０５が制御データ生成時に「輝度制御」に輝度値を設定し、その輝度制御をＳＤＩデータの一つとして１つのＳＤＩ送信回路２０８が送信することにより、対応するＳＤＩ受信回路２０９が制御する範囲内の表示ユニット３０１の輝度を制御することが出来る。従って、全部のＳＤＩ受信回路２０９が受信・再現する「輝度制御」に同等の輝度値を設定することで、スクリーン全体の輝度を制御することが出来る。
【００４３】
この様に、本応用例の特徴点は、図３に示されるヘッダー情報の制御情報が、輝度のスクリーン制御コマンドに関するビット情報を含む点にある。
【００４４】
＜実施の形態１の応用例４＞
図２の画像制御部２０５が、図３におけるヘッダー情報の制御情報の「スクリーンクリア」に、クリア有効のコマンド（ビット情報）を設定することにより（例えば“０”をクリア無効とし、“１”をクリア有効とする様なデータの設定）、ＳＤＩ受信回路２０９が受信する映像データとは関係なく、ＳＤＩ受信回路２０９が制御する範囲内の表示ユニット３０１の映像をクリアする、即ち、伝送される映像データに関係なく画像を消去することが出来る。従って、全部のＳＤＩ受信回路２０９に対して「クリア有効」を設定することでスクリーン全体の画像を消去することが出来、逆に、全部のＳＤＩ受信回路２０９に対して「クリア無効」を設定することでスクリーン全体に映像データを表示することが出来る。
【００４５】
この様に、本応用例の特徴点は、図３に示されるヘッダー情報の制御情報がクリアのスクリーン制御コマンドを含む点にある。
【００４６】
＜実施の形態１の応用例５＞
図２の画像制御部２０５が、図３に示すヘッダー情報の制御情報の「スクリーンフリーズ」にフリーズ有効のコマンドを示す１ビット情報を設定する（例えば、“０”をフリーズしないものと定義し、“１”をフリーズするものと定義する様な、ビットデータの設定）。この設定により、対応するＳＤＩ受信回路２０９は、当該ＳＤＩ受信回路２０９が制御する範囲内に属する全ての表示ユニット３０１の映像を、フリーズ有効コマンドを受信する直前の映像データで以ってフリーズする、即ち、画像を静止することが出来る。従って、全部のＳＤＩ受信回路２０９に対してフリーズ有効を設定することでスクリーン全体の画像を静止することが出来、他方で、全部のＳＤＩ受信回路２０９に対してフリーズ無効を設定することで伝送される映像データをスクリーン全体に表示することが可能となる。
【００４７】
この様に、本応用例の特徴点は、図３に示されるヘッダー情報の制御情報がフリーズのスクリーン制御コマンドを含む点にある。
【００４８】
（付記）
以上、本発明の実施の形態を詳細に開示し記述したが、以上の記述は本発明の適用可能な局面を例示したものであって、本発明はこれに限定されるものではない。即ち、記述した局面に対する様々な修正や変形例を、この発明の範囲から逸脱することの無い範囲内で考えることが可能である。
【００４９】
【発明の効果】
本発明によれば、ＳＤＩで伝送可能な情報量内において、ＳＤＩ受信回路に接続される表示ユニットの数及びそのサイズを可変にすることが出来る。
【図面の簡単な説明】
【図１】本発明の実施の形態１に係るＳＤＩを利用した映像装置の構成を模式的に示すブロック図である。
【図２】コントローラ内部の構成を示すブロック図である。
【図３】ＳＤＩ受信回路が再生するＳＤＩ伝送フォーマットを示すタイミングチャートである。
【図４】本発明の実施の形態１に係るＳＤＩ利用映像装置におけるＳＤＩ受信回路１回路当りの映像表示範囲を示すブロック図である。
【図５】実施の形態１の応用例１における、横長スクリーンに対応するＳＤＩ受信回路１回路あたりのスクリーン構成図である。
【図６】横長スクリーンの表示イメージ図である。
【図７】実施の形態１の応用例２における、縦長スクリーンに対応するＳＤＩ受信回路１回路あたりのスクリーン構成図である。
【図８】縦長スクリーンの表示イメージ図である。
【符号の説明】
１００  ＰＣ、１０１  ＤＶＩ分配器、２００  コントローラ、２０１  ＤＶＩ入力部、２０２  通信制御部、２０３  スイッチ制御部、２０４  コマンド解析部、２０５  画像制御部、２０６  映像メモリ、２０７  ＳＤＩクロック発振器、２０８  ＳＤＩ送信回路、２０９  ＳＤＩ受信回路、３００  スクリーン、３０１  表示ユニット、Ｌ１  ＤＶＩケーブル、Ｌ２  同軸ケーブル、Ｌ３  フラットケーブル。
【図１】
2004333802.tif 000003
【図２】
2004333802.tif 000004
【図３】
2004333802.tif 000005
【図４】
2004333802.tif 000006
【図５】
2004333802.tif 000007
【図６】
2004333802.tif 000008
【図７】
2004333802.tif 000009
【図８】
2004333802.tif 000010